(57)【要約】      （修正有）【課題】重さを軽減し、さらに、地先形状コンクリートブロックを組積みできる機能を有する地先形状コンクリートブロックを提供する。【解決手段】厚さｂが１０ｃｍ、高さｃが１０ｃｍ・１２ｃｍ・１５ｃｍ・１９ｃｍの何れかであり、長さａが３８ｃｍ〜４０ｃｍの横に長い直方体であるか、あるいは、厚さが１２ｃｍ、高さが１２ｃｍ・１５ｃｍ・１９ｃｍの何れかであり、長さが３８ｃｍ〜４０ｃｍの横に長い直方体であるか、あるいは、厚さが１５ｃｍ、高さが１５ｃｍ・１９ｃｍの何れかであり、長さが３８ｃｍ〜４０ｃｍの横に長い直方体であるか、あるいは、厚さが１９ｃｍ、高さが１９ｃｍであり、長さが３８ｃｍ〜４０ｃｍの横に長い直方体、以上の何れか一つの形状を有する。地先形状コンクリ−トブロック１において、長さに対して１／４と３／４の場所に、鉄筋とモルタルで補強するための上から下まで貫通する空洞部２を有する。【選択図】図１
0003230749.tif 000002
【実用新案登録請求の範囲】
【請求項１】
厚さ１０ｃｍ高さ１０ｃｍ・１２ｃｍ・１５ｃｍ・１９ｃｍ、厚さ１２ｃｍ高さ１２ｃｍ・１５ｃｍ・１９ｃｍ、厚さ１５ｃｍ高さ１５ｃｍ・１９ｃｍ、厚さ１９ｃｍ高さ１９ｃｍの１０通りの組み合わせと、長さが３８ｃｍ〜４０ｃｍの横に長い直方体の地先形状コンクリ−トブロック。
【請求項２】
地先形状コンクリ−トブロックにおいて、長さに対して１／４と３／４の場所に、鉄筋とモルタルで補強するための上から下まで貫通する空洞部を有する。
【考案の詳細な説明】
【技術分野】
【０００１】  本考案は、スランプゼロのコンクリ−ト即脱成形製品（以後、ブロックと呼ぶ）のセメント製品に関するものである。
【背景技術】
【０００２】  コンクリ−ト流し込み（プレキャスト）製品の地先は、ＪＩＳ規格があるため、規格の長さ６０ｃｍで製造されている。現在あるブロック地先製品でも、ＪＩＳ規格製品の代用品を目的に製造しているため、長さ６０ｃｍのＪＩＳ規格通りの製品となっている。
【考案の概要】
【考案が解決しようとする課題】
【０００３】  コンクリ−ト地先は、ＪＩＳ規格により材料や形状か細かく決められており、高さ１２ｃｍ厚さ１２ｃｍ長さ６０ｃｍの、よく使われるサイズのＪＩＳ規格品重量が約２１ｋｇと、かなりの重量がある。規格があるため製品を軽量化するのが難しく、施工者は大変な重労働を強いられている。軽量化するには、材料を変えるか長さを短くすれば軽くなるが、公共工事ならびにその他のＪＩＳ規格を必要とする現場が最大の需要先のため、規格外製品を作るメ−カ−が無い。そのため、ＪＩＳ規格の必要のない現場でも重いＪＩＳ規格品もしくは同じサイズの同等品を使っている。【０００４】  空洞部のない通常のコンクリ−ト地先は、道路や隣地の境界を隔てる境や土留め、コンクリ−土間の縁取りと限られた用途でしか使われていない。
【考案が解決するための手段】
【０００５】  重量を軽くするため、長さ（図１のａ）を一般的に幅広く使われているブロックの長さと同程度の３８ｃｍ〜４０ｃｍにすると、６０ｃｍのＪＩＳ規格品に比べ約３割軽量化でき、施工のしやすい重量となる。一般的なブロックＪＩＳ規格の長さは３９ｃｍとなっている。
【０００６】  １／４と３／４の位置（図２）に上から下まで貫通する空洞部（図１の２）を設けることにより、コンクリ−ト地先の用途に加え、ブロックやレンガと同様に鉄筋補強した組積ができるようになる。
【０００７】  コンクリ−ト流し込み（プレキャスト）製品は、型枠の数しか生産できないが、ブロックはコンクリ−トスランプゼロで、一つの型枠で押し固めたらすぐに型枠から押し出す製造方法のため、型枠の数は関係なく製品を作り続けられることから、プレキャストに比べ極端に製造コストを抑えられる。
【考案の効果】
【０００８】  （図１のａ）の長さをブロックと同程度３８ｃｍ〜４０ｃｍにすることにより、製品重量を約３割軽くできる。さらに、ブロックは幅広く普及しており、施工者・設計者がなれている人が多いため、本考案製品も使用しやすい。重量も取り扱いしやすい重さとなることにより、施工が楽になるのと、製品長さが短いと円や波型（図−６）など直線以外の施工がしやすくなる。長さ６０ｃｍのＪＩＳ規格コンクリ−ト地先製品に比べ、同一長さの施工では使用本数が増えるデメリットがあっても、製品価格を抑えればメリットの方が大きくなる。しかし、長さを短くしすぎると施工本数が増えすぎ、施工効率が悪くなり軽量化した効果がなくなる。ブロックの長さは、施工者の重労働が緩和される製品重量となり施工がしやすい。さらに、ブロック設備がそのまま使える利点があり、製品の大量生産による量産効果が得られ低価格を実現させられる。
【０００９】  （図１の２）の空洞部を作る事により鉄筋とモルタルで補強ができる。補強した場合、補強なしに比べ格段に側面からの力に対しては強く、土間コンクリ−トと接着した場合においても、モルタルだけの接着に比べ格段に剥がれなくなる。さらに、本考案の地先形状ブロックは、ブロックの組積工事基準の縦筋８０ｃｍ以下（図４の４）の間隔で施工する事ができる位置に空洞部があり、（図４）の組積での鉄筋補強が可能となっている。
【図面の簡単な説明】
【００１０】
【図１】斜め上から見た透視図
【図２】上部から見た図で４等分したもの
【図３】下部から見た図
【図４】一般的な施工図
【図５】２段組積した施工図
【図６】波型にした施工図
【考案を実施するための形態】
【００１１】  図−４の施工では、コンクリ−ト地先では６０ｃｍの間隔になるが、地先形状ブロックは約４０ｃｍ間隔になる。図−５の組積はブロックや組積レンガと同じ施工ができる。
【実施例】
【００１２】  ＪＩＳ規格コンクリ−ト地先製品同様に、図−４の施工はコンクリ−ト土間の打設の縁取り、駐車場の車止め、道路の歩道との境界などの使用例である。ＪＩＳ規格コンクリ−ト地先製品より全長が短いので、円や波型（図−６）が作りやすい。図−５のように安全に支障のない高さまで組積できる。
【符号の説明】
【００１３】１〜製品本体
２〜鉄筋とモルタルを挿入する空洞部
３〜角の面取り部分
４〜８０ｃｍ以下の間隔に配置した鉄筋
５〜接着モルタル
ａ〜製品の長さ３８ｃｍ〜４０ｃｍ
ｂ〜製品の厚さ１０ｃｍ・１２ｃｍ・１５ｃｍ・１９ｃｍ
ｃ〜製品の高さ１０ｃｍ・１２ｃｍ・１５ｃｍ・１９ｃｍ
ｄ〜製品を４等分した位置
【図１】
0003230749.tif 000003
【図２】
0003230749.tif 000004
【図３】
0003230749.tif 000005
【図４】
0003230749.tif 000006
【図５】
0003230749.tif 000007
【図６】
0003230749.tif 000008
【手続補正書】
【提出日】令和2年11月19日(2020.11.19)
【手続補正１】
【補正対象書類名】実用新案登録請求の範囲
【補正対象項目名】全文
【補正方法】追加
【補正の内容】
【実用新案登録請求の範囲】
【請求項１】
厚さが１０ｃｍ、高さが１０ｃｍ・１２ｃｍ・１５ｃｍ・１９ｃｍの何れかであり、長さが３８ｃｍ〜４０ｃｍの横に長い直方体であるか、あるいは、厚さが１２ｃｍ、高さが１２ｃｍ・１５ｃｍ・１９ｃｍの何れかであり、長さが３８ｃｍ〜４０ｃｍの横に長い直方体であるか、あるいは、厚さが１５ｃｍ、高さが１５ｃｍ・１９ｃｍの何れかであり、長さが３８ｃｍ〜４０ｃｍの横に長い直方体であるが、あるいは、厚さが１９ｃｍ、高さが１９ｃｍであり、長さが３８ｃｍ〜４０ｃｍの横に長い直方体、以上の何れか一つの形状を有する地先形状コンクリ−トブロック。
【請求項２】
地先形状コンクリ−トブロックにおいて、長さに対して１／４と３／４の場所に、鉄筋とモルタルで補強するための上から下まで貫通する空洞部を特徴とする請求項１記載の地先形状コンクリ−トブロック。